(57)【要約】  ラウドスピーカは、フレームと、磁気ギャップを含む磁気回路と、コーン型の振動板と、ボイスコイルと、ＬＥＤを含んでいる。磁気回路は、フレームの下部に結合されている。振動板は、フレームの外周部に連結されている。ボイスコイルの第１端部は、振動板に結合されており、かつ第２端部は、磁気ギャップへ挿入されている。ＬＥＤは、フレームの上部に設けられて、振動板の中心に向かって光を出力する。そして、振動板が光を反射するように、ＬＥＤが配置されている。
2015045284.tif 000002
【特許請求の範囲】
【請求項１】
上部と、前記上部の反対の下部を有したフレームと、
前記フレームの前記下部に結合され、磁気ギャップを含む磁気回路と、
前面と、前記前面の反対の背面を有し、前記背面が前記フレームの外周部に連結されたコーン型の振動板と、
第１端部と第２端部を有し、前記第１端部が前記振動板に結合され、かつ前記第２端部が前記磁気ギャップへ挿入されたボイスコイルと、
前記フレームの前記上部に設けられ、前記振動板の中心に向かって光を出力し、前記振動板が前記光を反射するように配置された発光ダイオードと、を備えた、
ラウドスピーカ。
【請求項２】
前記振動板の前記前面は、凹部を有する、
請求項１に記載のラウドスピーカ。
【請求項３】
前記振動板の前記前面は、凸部を有する、
請求項１に記載のラウドスピーカ。
【請求項４】
前記凸部の断面形状は、円弧である、
請求項３に記載のラウドスピーカ。
【請求項５】
前記凸部は、
前記振動板の前記前面に対して、第１の角度だけ傾いて配置された第１の反射部と、
前記振動板の前記前面に対して、前記第１の角度とは異なる第２の角度で配置された第２の反射部と、を有する、
請求項３に記載のラウドスピーカ。
【請求項６】
前記凸部の高さは、０．０１ｍｍ以上、０．０７ｍｍ以下である、
請求項３に記載のラウドスピーカ。
【請求項７】
前記凸部は、前記振動板と同心であり、かつ前記振動板の前記前面を一周するように配置された、
請求項３に記載のラウドスピーカ。
【請求項８】
前記凸部は、複数の凸部のひとつであり、前記複数の凸部は同心状に配置された、
請求項７に記載のラウドスピーカ。
【請求項９】
前記凸部は、前記振動板の外周から前記振動板の中心へ向かって渦巻状に形成された、
請求項３に記載のラウドスピーカ。
【請求項１０】
前記ＬＥＤは、複数のＬＥＤのうちのひとつであり、
前記複数のＬＥＤは、等間隔に互いに離れて配置された、
請求項１に記載のラウドスピーカ。
【請求項１１】
前記振動板の前記前面は、前記背面よりも反射率の高い色である、
請求項１に記載のラウドスピーカ。
【請求項１２】
前記振動板は、主樹脂材料と、前記主樹脂材料に含まれ、かつ前記振動板の主材料に比べて反射率の高い副樹脂材料と、を含む、
請求項１に記載のラウドスピーカ。
【請求項１３】
前記振動板の中央に設けられ、前記振動板から前記磁気回路に向かって突出したダストキャップを、さらに備えた、
請求項１に記載のラウドスピーカ。
【請求項１４】
第１面と、前記第１面の反対に前記第１面よりも反射率の高い色の第２面を有し、前記振動板の中央に設けられ、かつ前記第１面が前記磁気回路と向かい合って配置されたダストキャップを、さらに備えた、
請求項１に記載のラウドスピーカ。
【請求項１５】
前記振動板の中央に設けられ、主樹脂材料と、前記主樹脂材料に比べて反射率の高い副樹脂材料を含むダストキャップを、さらに備えた、
請求項１に記載のラウドスピーカ。
【請求項１６】
筐体と、
前記筐体内に収納された増幅部と、
前記増幅部に電気的に接続され、かつ前記筐体内に収納された請求項１に記載のラウドスピーカと、を備えた、
電子機器。
【請求項１７】
本体部と、
前記本体部に搭載された駆動部と、
前記本体部に搭載された請求項１に記載のラウドスピーカと、を備えた、
移動体装置。
【発明の詳細な説明】
【技術分野】
【０００１】
本発明は、イルミネーション機能を有するラウドスピーカと、これを用いた電子機器、移動体装置に関する。
【背景技術】
【０００２】
以下、従来のラウドスピーカについて説明する。従来のラウドスピーカは、スピーカユニットと、イルミネーション部を含んでいる。イルミネーション部は、リング状であり、発光素子を含んでいる。そして、イルミネーション部は、スピーカユニットの前面に装着されている。イルミネーション部は、透明な樹脂によって形成されて、発光素子が発する光を導いている。【０００３】
なお、この出願の発明に関連する先行技術文献情報としては、例えば、特許文献１が知られている。
【先行技術文献】
【特許文献】
【０００４】
【特許文献１】特開平９−２１２１０７号公報
【発明の概要】
【０００５】
本発明のラウドスピーカは、フレームと、磁気ギャップを含む磁気回路と、コーン型の振動板と、ボイスコイルと、ＬＥＤを含んでいる。磁気回路は、フレームの下部に結合されている。振動板は、前面と背面を有している。そして振動板の背面は、フレームの外周部に連結されている。ボイスコイルは、第１端部と第２端部を有している。そして、ボイスコイルの第１端部は、振動板に結合されている。一方、ボイスコイルの第２端部は、磁気ギャップへ挿入されている。ＬＥＤは、振動板の中心に向かって光を出力し、振動板の前面で光を反射するように、フレームの上部に設けられている。
【０００６】
以上の構成により、ＬＥＤから出力された光は、振動板の前面側の表面の複数の箇所で反射する。したがって、振動板上には、複雑な形状の光の模様が現れる。さらに、振動板は、コーン型であるので、振動板の表面で反射した光同士の干渉によって、模様は立体的に見える。その結果、本発明のラウドスピーカは、非常に複雑な光の模様さらには立体的に見える像によるイルミネーションによって装飾できる。
【図面の簡単な説明】
【０００７】
【図１】図１は、本発明の実施の形態におけるラウドスピーカの断面図である。
【図２】図２は、本発明の実施の形態におけるラウドスピーカの上面図である。
【図３】図３は、本発明の実施の形態における発光状態でラウドスピーカに現れる光の模様の模式図である。
【図４】図４は、本発明の実施の形態における発光状態のラウドスピーカを上面から写真撮影した観察図である。
【図５】図５は、本発明の実施の形態における振動板の要部拡大断面図である。
【図６】図６は、本発明の実施の形態において反射材を含んだ振動板の要部拡大断面図である。
【図７】図７は、本発明の実施の形態において表面に凸部を形成した振動板の要部拡大断面図である。
【図８】図８は、本発明の実施の形態において凸部を離して配置した場合の振動板の要部拡大断面図である。
【図９】図９は、本発明の実施の形態において凸部の形状を直線によって構成した場合の振動板の要部拡大断面図である。
【図１０】図１０は、本発明の実施の形態において前面に凹部を形成した場合の振動板の要部拡大断面図である。
【図１１】図１１は、本発明の実施の形態において渦巻き状の凸部を形成した振動板の前面図である。
【図１２】図１２は、本発明の実施の形態において同心状の凸部を形成した振動板の前面図である。
【図１３】図１３は、本発明の実施の形態において振動板での光の反射を示す概念図である。
【図１４】図１４は、本発明の実施の形態における発光状態のラウドスピーカを前面から見た場合の概念図である。
【図１５】図１５は、本発明の実施の形態において振動板での光の反射を示す概念図である。
【図１６】図１６は、本発明の実施の形態における電子機器の概念図である。
【図１７】図１７は、本発明の実施の形態における移動体装置の概念図である。
【発明を実施するための形態】
【０００８】
本実施の形態におけるラウドスピーカ１１の説明に先立って、従来のラウドスピーカの課題について説明する。従来のラウドスピーカは、単にイルミネーション部が光るだけである。したがって、ラウドスピーカに現れる光の模様の形状は単調である。そこで本実施の形態のラウドスピーカの目的は、複雑な光の模様や像によるイルミネーションによって、ラウドスピーカを装飾することである。
【０００９】
以下、本実施の形態におけるラウドスピーカについて、図面を参照しながら説明する。図１は、ラウドスピーカ１１の断面図である。図２は、ラウドスピーカ１１の上面図である。なお、図１は、図２に示す断面線１−１でラウドスピーカ１１を切断した状態を示している。
【００１０】
ラウドスピーカ１１は、フレーム１２と、磁気ギャップ１３Ａを含む磁気回路１３と、コーン型の振動板１４と、ボイスコイル１５と、発光ダイオード１６（以下、ＬＥＤ１６）を含んでいる。フレーム１２は、上部と、上部の反対に下部を有している。振動板１４は前面と、前面の反対の背面を含んでいる。なお、ラウドスピーカ１１は、さらにダストキャップ１７を含むことが好ましい。
【００１１】
磁気回路１３は、フレーム１２の下部の中央に結合されている。振動板１４は、フレーム１２の外周部に連結されている。ボイスコイル１５は、第１端部と第２端部を有している。なお、第２端部は、第１端部の反対に形成されている。そして、ボイスコイル１５の第１端部は、振動板１４に結合されている。なお、ボイスコイル１５の第１端部は、振動板１４の背面に結合されている。なお、ボイスコイル１５の第１端部は、振動板１４の背面に結合する構成に限られず、振動板１４の内周の側面や前面と結合する構成でもかまわない。一方、ボイスコイル１５の第２端部は、磁気ギャップ１３Ａへ挿入されている。
【００１２】
ＬＥＤ１６は、フレーム１２の上部に配置され、振動板１４の中心を向いている。この構成により、ＬＥＤ１６は、振動板１４の中心に向かって光を出力する。この場合、振動板１４の前面が、ＬＥＤ１６から出力された光を反射するように、ＬＥＤ１６を配置している。
【００１３】
図３は、発光状態でラウドスピーカ１１に現れる光の模様の模式図である。図４は、発光状態のラウドスピーカ１１を前面から撮影した観察図である。
【００１４】
一般的な小型電球は、電球から全方向へ拡散して光を出力する。したがって、光源としてＬＥＤ１６に代えて小型電球を用いた場合、振動板１４の前面全体が明るくなる程度である。一方、ＬＥＤ１６は、一般的な小型電球に比べて、直進性の高い光を出力できる。したがって、ＬＥＤ１６が出力した光によって、直線的な模様３１が振動板１４上に形成できる。
【００１５】
以上の構成により、ＬＥＤ１６から出力された光は、振動板１４の前面側の表面の複数の箇所で反射する。したがって、振動板１４上に、複数の直線的な部分で構成された複雑な形状の光の模様３１が現れる。さらに、コーン型の振動板１４であるので、振動板１４の表面で反射した光同士の干渉によって、模様３１は立体的な光の像のように見える。その結果、非常に複雑な光の模様３１さらには立体的に見える像によるイルミネーションによってラウドスピーカ１１を装飾できる。
【００１６】
次に、ラウドスピーカ１１について、詳細に説明する。振動板１４を前面から見た場合の形状は、円形であることが好ましい。円形の振動板１４の場合、ラウドスピーカ１１の外形の形状も円形であることが好ましい。なお、振動板１４を前面から見た場合の形状は、円形に限られず、たとえば、楕円形、矩形、トラック型などでもかまわない。
【００１７】
図１に示すように、ＬＥＤ固定部１８は、フレーム１２の上部に設置されている。ＬＥＤ固定部１８の形状は、環状である。この構成により、ＬＥＤ固定部１８は、ガスケットを兼ねることもできる。そして、ＬＥＤ１６は、ＬＥＤ固定部１８の内周に配置されている。なお、前面から見て円形の振動板１４を用いる場合、ＬＥＤ固定部１８の形状は円環状であることが好ましい。
【００１８】
フレーム１２は、ＬＥＤ固定部１８を含んでも良い。この場合、ＬＥＤ固定部１８は、フレーム１２と一体に成形することが好ましい。この構成により、別途、ＬＥＤ固定部１８とフレーム１２とを組み立てる必要がない。したがって、ラウドスピーカ１１の組立工数を削減できる。
【００１９】
なお、遮蔽部１８ＡとＬＥＤ固定部１８とを一体に形成しているが、この構成に限られず、遮蔽部１８ＡとＬＥＤ固定部１８はそれぞれ別々に形成しても良い。
【００２０】
ＬＥＤ１６は、ＬＥＤ１６の光軸と図１に示すボイスコイル１５の中心軸１５Ａとが、垂直に交わるように設置すると良い。あるいは、ＬＥＤ１６は、先端が振動板１４の前面を向く方向に傾けて、設置することもできる。そして、ＬＥＤ１６の光軸と中心軸１５Ａとの間の角度を調整することによって、図３に示す模様３１の形状や、明るさなどを調整することができる。
【００２１】
図３に示すように、ＬＥＤ固定部１８に複数のＬＥＤ１６が、配置されている。この構成により、振動板１４上に複数の光の線による複雑な形状の模様３１を形成できる。この場合、ＬＥＤ１６は、互いに離れて配置することが好ましい。この構成により、振動板１４全体が明るくなることを抑制できる。すなわち、振動板１４上に明るい場所と、暗い場所とを形成できる。したがって、振動板１４に形成された光の模様３１や像は、より鮮やかに輝いて見える。
【００２２】
複数のＬＥＤ１６は、等間隔に互いに離れて配置することが好ましい。この構成により、振動板１４上に幾何学的な美しい模様３１を形成できる。この場合、振動板１４を前面から見た形状は、円形であることが好ましい。この構成により、振動板１４の中心に対して、回転対称な形状の模様３１が形成できる。
【００２３】
図１に示すように、ＬＥＤ固定部１８は、遮蔽部１８Ａを含むと良い。ＬＥＤ１６は、遮蔽部１８Ａと振動板１４の間に配置されている。そして、遮蔽部１８Ａは、ＬＥＤ１６から出力された光のうち、振動板１４の反対に向かって出力された光を遮蔽している。この構成により、振動板１４を前面から見た場合に、ＬＥＤ１６が発する光が、直接目に入ることを抑制できる。したがって、光の模様３１や像は、より鮮やかに輝いて見える。また、遮蔽部１８Ａはガスケットを兼ねることができる。
【００２４】
なお、遮蔽部１８ＡはＬＥＤ固定部１８と一体に成型することが好ましい。この構成により、ＬＥＤ固定部１８の組立工数を削減できる。なお、遮蔽部１８ＡとＬＥＤ固定部１８を一体に成型した構成に限られず、遮蔽部１８Ａは、ＬＥＤ固定部１８と別々に形成しても良い。
【００２５】
ＬＥＤ固定部１８は、振動板１４の前面に比べて、暗い色であることが好ましい。すなわち、ＬＥＤ固定部１８は、振動板１４の前面に比べて、反射率の小さな色であることが好ましい。ＬＥＤ固定部１８の色は、黒であることが最も好ましい。さらに、ＬＥＤ固定部１８の表面は、凹凸を有していることが好ましい。たとえば、ＬＥＤ固定部１８の表面は、シボ加工されている。この構成により、ＬＥＤ固定部１８の表面の光沢が抑制できる。したがって、ＬＥＤ固定部１８は、ＬＥＤ１６から出力された光の反射を抑制できる。その結果、図３に示す光の模様３１や像は、より鮮やかに輝いて見える。
【００２６】
ダストキャップ１７は、振動板１４の中央部に設けられている。なお、ダストキャップ１７は、振動板１４から磁気回路１３に向かって突出していることが好ましい。この構成により、ＬＥＤ１６の発した光は、ダストキャップ１７によって遮られない。したがって、振動板１４とダストキャップ１７との接合部、さらにはダストキャップ１７上にも図３に示す模様３１を形成できる。なお、ダストキャップ１７の背面は、振動板１４の前面と対向するように配置されている。
【００２７】
ダストキャップ１７をボイスコイル１５の軸に沿って切断した場合の断面の形状は、湾曲していることが好ましい。なお、ダストキャップ１７の断面形状は、特に円弧状であることが好ましい。この構成により、図３に示す光の模様３１は、ダストキャップ１７の前面にも明瞭に形成できる。さらに、振動板１４とダストキャップ１７との組立体１９は、すり鉢状の形状である。したがって、組立体１９の表面が、凹面鏡のような働きを奏する。その結果、ＬＥＤ１６から出力された光によって形成される像は、立体的に見える。すなわち、光の像は、振動板１４の前面よりも近くにあるかのように飛び出して見えたり、あるいは前面よりも遠くにあるかのように見えたりする。
【００２８】
次に、振動板１４について詳しく説明する。一般的に、抄紙によって作製された振動板は、ピンホールや、表面に繊維による凸凹を有している。したがって、抄紙による振動板の前面は、光を乱反射する。したがって、抄紙による振動板の全体が明るくなるにすぎない。すなわち、振動板１４を抄紙によって作製した場合、振動板１４に明瞭な模様や像を形成することは困難である。そこで、振動板１４は樹脂製であり、樹脂成形によって作製されていることが好ましい。樹脂成形によって作製された振動板１４の表面は、抄紙によって作製された振動板に比べて、滑らかである。したがって、ＬＥＤ１６から出力された光が、振動板１４の前面で乱反射することを抑制できる。その結果、図３に示す模様３１や像は、鮮やかに輝いて見える。
【００２９】
なお、振動板１４の前面は、背面に比べて、明るい色であることが好ましい。すなわち、振動板１４の前面は、背面に比べて、反射率が大きいことが好ましい。この構成により、振動板１４の前面の光の反射率は、大きい。したがって、図３に示す光の模様３１や像は、より鮮やかに輝いて見える。なお、振動板１４の前面の色は、特に銀色が好ましい。この場合、ＬＥＤ１６は、出力する色の選択できる範囲を広くできる。ＬＥＤ１６は、たとえば白、緑、青、赤などいずれの色でもかまわない。また、振動板１４の前面の色は、白色でもかまわない。この場合居、ＬＥＤ１６の色は、白色以外であることが好ましい。
【００３０】
図５は、振動板１４の要部拡大断面図である。振動板１４は、基材層１４Ａと、反射材層１４Ｂを含むことが好ましい。反射材層１４Ｂは、振動板１４の前面に形成されている。なお、反射材層１４Ｂは、基材層１４Ａよりも明るい色であることが好ましい。すなわち、振動板１４の前面は、背面に比べて反射率が大きい。この構成により、振動板１４の前面における、ＬＥＤ１６から出力された光の反射率が向上する。なお、反射材層１４Ｂは、反射材を基材層１４Ａへ貼り付け、塗装、蒸着、あるいはめっきなどによって形成できる。
【００３１】
反射材層１４Ｂは、金属であることが好ましい。この構成により、振動板１４の前面に、光の反射率の高い反射材層１４Ｂを形成できる。また、金属製の反射材層１４Ｂの硬度は、大きいので、振動板１４の弾性率を大きくできる。したがって、振動板１４の音圧を大きくできる。なお、金属製の反射材層１４Ｂは、たとえば蒸着によってしても良い。あるいは、反射材層１４Ｂは金属に限られず、蛍光塗料であっても良い。この場合、振動板１４の前面に、蛍光塗料を塗布する。
【００３２】
反射材層１４Ｂは、ダストキャップ１７の前面にも形成しておくことが好ましい。この構成により、さらに光の像が、輝いて見える。
【００３３】
図６は、反射材を含んだ振動板１４の要部断面図である。振動板１４は、主材料１４Ｃ中に副材料１４Ｄを含む構成でも良い。主材料１４Ｃは樹脂である。主材料１４Ｃは、たとえばポリプロピレンである。この構成により、振動板４４は軽い。そして、副材料１４Ｄは、反射材である。この場合、副材料１４Ｄの反射率は、主材料１４Ｃに比べて高いことが好ましい。なお、副材料１４Ｄも、樹脂であることが好ましい。また、副材料１４Ｄは、たとえば粉体状の蛍光物質などを用いても良い。
【００３４】
図７は、前面に凸部２１を形成した振動板１４の要部拡大断面図である。振動板１４の前面は、凸部２１を含むことが好ましい。この構成により、光が当たる場所によって、反射光の方向が異なる。したがって、聴取者の場所（視点）が変化した場合に、図３に示す模様３１が見えなくなることを抑制できる。なお、ダストキャップ１７にも凸部２１を形成すると良い。
【００３５】
凸部２１の高さが小さすぎる場合、振動板１４の前面での光の乱反射が増加する。この場合、振動板１４の前面の全体の明るさが増す。その結果、図３に示す模様３１の輝度と、振動板１４の前面の輝度との差が小さくなる。一方、凸部２１の高さが大きすぎる場合、聴取者の位置によっては、凸部２１自体が光を遮ることも発生する。そこで、凸部２１の高さは、振動板１４の厚さの１％以上、５０％以下であることが好ましい。凸部２１の高さは、０．０１ｍｍ以上、０．０７ｍｍ以下であることがさらに好ましい。このような構成により、聴取者は、より広い範囲で図３に示す模様３１や像を明瞭に見ることがきる。なお、凸部２１の断面形状は、円弧であることが特に好ましい。この構成により、図３に示す模様をきれいに見える視点の範囲を大きくできる。図８は、凸部２１を離して配置した場合の振動板１４の要部拡大断面図である。凸部２１は、互いに離れて配置してもかまわない。
【００３６】
図９は、凸部の断面形状を直線によって構成した場合の振動板１４の要部拡大断面図である。凸部２１の断面形状は、直線で構成してもかまわない。なお、凸部２１の先端は、面取りしてもかまわない。面取りは、Ｒ、Ｃのいずれでもかまわない。
【００３７】
すなわち、凸部２１は、少なくとも第１反射部２１Ａと第２反射部２１Ｂを含むことが好ましい。第１反射部２１Ａは、振動板１４の前面に対して、第１の角度だけ傾いて配置されている。一方、第２反射部２１Ｂは、振動板１４の前面に対して、第２の角度で配置されている。ただし、第１の角度は、第２の角度とは異なっている。なお、第１反射部２１Ａは、振動板１４の背面に対して、第１の角度だけ傾いて配置しても良い。また、第２反射部２１Ｂは、振動板１４の背面に対して、第２の角度で配置しても良い。なお、第２の角度は、０度でも良い。
【００３８】
円弧状の凸部２１は、ミクロに見れば無数の反射部を有していることとなる。したがって、円弧状の凸部２１もまた、第１反射部２１Ａと第２反射部２１Ｂを有している。
【００３９】
図１０は、前面に凹部２２を形成した場合の振動板１４の要部拡大断面図である。振動板１４は、前面に凹部２２を形成してもかまわない。この場合、凹部２２の底面が、第１反射部２１Ａを形成している。一方、振動板１４の前面の表面が、第２反射部２１Ｂを形成している。したがって、凹部２２は、互いに離して配置している。なお、振動板１４の前面の表面が第２反射部２１Ｂを形成する構成に限られず、凹部２２に第１反射部２１Ａと第２反射部２１Ｂを形成しても良い。また、この場合、隣り合う凹部２２は、繋げて配置しても良い。
【００４０】
図１１は、渦巻き状の凸部２１を形成した振動板１４の前面図である。凸部２１を前面から見た形状は、渦巻状である。すなわち、振動板１４の外周から中心へ向かって、中心から凸部２１までの距離が徐々に小さくなっている。この構成により、振動板１４を樹脂成形する場合の金型に、容易に凸部２１を形成できる。なお、振動板１４に渦巻き状の凸部２１を形成したが、これに限られず、振動板１４に渦巻き状の凹部２２を形成してもかまわない。また、ダストキャップ１７にも渦巻状の凸部２１あるいは凹部２２を形成しても良い。
【００４１】
図１２は、同心状の凸部２１を形成した振動板１４の前面図である。振動板１４の前面を一周するような、凸部２１を複数列並べて配置してもかまわない。なお、凸部２１は、振動板１４の中心と同心であることが好ましい。また、振動板１４に同心状の凸部２１を形成したが、これに限られず、振動板１４に同心状の凹部２２を形成してもかまわない。さらに、ダストキャップ１７にも同心円状の凸部２１あるいは凹部２２を形成しても良い。
【００４２】
以下、振動板１４上に形成される模様について、図面を参照しながら、詳しく説明する。図１３は、振動板１４での光の反射を示す概念図である。図１３は、図１５における矢印Ａの方向から振動板１４を見た場合を示している。すなわち、図１３は、振動板１４の前面の延長線上から、振動板１４を見ている。なお、図１３は、１個のＬＥＤ１６Ａのみを発光させた場合を示している。
【００４３】
ＬＥＤ１６Ａから出力された光は、高い直進性を有する。しかし、それでもＬＥＤ１６Ａから離れるにしたがって、ＬＥＤ１６Ａから出力された光は広がってゆく。ところが、図３に示すように、振動板１４上に現れる模様３１は、振動板１４の中心側１４Ｅが細く、振動板１４の外周側１４Ｆに近づくにしたがって、幅が太くなっている。これは、振動板１４は外周側１４Ｆに近づくにしたがって、曲率半径が徐々に大きくなっているためである。
【００４４】
ＬＥＤ１６Ａの出力する光は、たとえば経路５５、および経路５６を経由して目５１へ到達する。経路５５において、ＬＥＤ１６Ａの出力する光は、振動板１４の外周側１４Ｆに近い場所で反射している。一方、経路５６において、ＬＥＤ１６Ａの出力する光は、振動板１４の中心側１４Ｅに近い場所で反射している。しかし、経路５７において、ＬＥＤ１６Ａの出力する光は、経路５６よりもＬＥＤ１６の光の中心と目５１を結ぶ線から離れた位置を通る光は、たとえば、経路５７を経由する。経路５７において、ＬＥＤ１６Ａの出力する光は、振動板１４の中心側１４Ｅに近い場所で反射している。その結果、経路５７を通る光は、目５１に到達しない。
【００４５】
したがって、振動板１４の中心側１４Ｅに近い場所では、目５１に入る反射光の幅が小さくなる。一方、振動板１４の外周側１４Ｆに近い場所では、目５１に入る反射光の幅が大きくなる。以上の構成により、模様３１の幅が変化する。
【００４６】
図１４は、発光状態のラウドスピーカ１１を前面から見た場合の概念図である。なお、図１４は、１個のＬＥＤ１６Ａのみを発光させた場合の模様３１を示している。図１５は、振動板１４での光の反射を側面から見た場合の概念図である。ＬＥＤ１６Ａが発した光は、たとえば、第１経路５２、第２経路５３、第３経路５４の経路で目５１へ到達する。
【００４７】
第１経路５２において、ＬＥＤ１６Ａから出力された光は、点５２Ａで反射している。点５２Ａは、振動板１４において、ＬＥＤ１６Ａに近い面上に形成される。すなわち、点５２Ａは、振動板１４の中心より手前の位置に配置される。
【００４８】
そしてこの反射光によって、振動板１４の中心よりＬＥＤ１６Ａに近い領域に、図１４に示す第１模様３１Ａが形成できる。このように、第１模様３１Ａは、振動板１４の中心よりもＬＥＤ１６Ａに近い位置に形成されているので、第２模様３１Ｂ、第２模様３１Ｃ、第３模様３１Ｄ、第３模様３１Ｅに比べて、長く、かつ明るい。また第１模様３１Ａは、第３模様３１Ｄ、第３模様３１Ｅよりも太い。ただし、第１模様３１Ａの外周部は、中心部よりも明るい。また、第１模様３１Ａの外周部は、中心部よりも太い。なお、ラウドスピーカ１１の前面から振動板１４を見た場合に、第１模様３１ＡとＬＥＤ１６Ａとは、一直線上に並んで形成されている。
【００４９】
次に、第２経路５３において、ＬＥＤ１６Ａから出力された光は、点５３Ａで反射している。点５３Ａは、振動板１４において、ＬＥＤ１６Ａから振動板１４の中心よりも遠い側の面上に形成される。
【００５０】
そしてこの反射光によって、振動板１４の中心に対して、ＬＥＤ１６Ａとは反対側の領域に、図１４に示すように第２模様３１Ｂ、第２模様３１Ｃが形成される。なお、ラウドスピーカ１１の前面方向から振動板１４を見た場合に、第２模様３１Ｂ、第２模様３１Ｃは、ともにＬＥＤ１６Ａと振動板１４の中心を結んだ線上からずれて形成されている。ただし、第２模様３１Ｂ、第２模様３１Ｃは、ともにＬＥＤ１６Ａと振動板１４の中心を結んだ線に対して、左右対称となるように形成されている。
【００５１】
振動板１４はコーン型である。したがって、第２模様３１Ｂは左側の目５１で見ることができる。一方、第２模様３１Ｃは右側の目５１で見ることができる。この構成により、両方の目５１で見た場合、第２模様３１Ｂと、第２模様３１Ｃの視差によって、模様３１は立体的な像として見える。
【００５２】
第２模様３１Ｂ、第２模様３１Ｃは、第１模様３１Ａに比べて、太いが、輝度は少し低い。第２模様３１Ｂ、第２模様３１Ｃの外周部は、中心部に比べて太い。なお、第２経路５３の反射面は、ＬＥＤ１６Ａから離れている。したがって、第２模様３１Ｂ、第２模様３１Ｃの振動板１４の外周に近い部分は、振動板１４の中心に近い部分よりも暗い。また、第２模様３１Ｂ、第２模様３１Ｃの外側端は、第１模様３１Ａの外側端よりも中心側に位置している。
【００５３】
振動板１４は、図１５に示すように前面側に突出する方向に湾曲していることが好ましい。この構成により、振動板１４の中心付近で、振動板１４自身が第１経路５２を通る光を遮るので、第２模様３１Ｂ、第２模様３１Ｃの先端のうちで、振動板１４の中心に近い内側端は、第１模様３１Ａの内側端よりも中心側に位置する。したがって、振動板１４上には、非常に複雑な形状の模様３１が形成される。さらに、振動板１４と、図１に示すボイスコイル１５とが交わる角度を大きくできる。したがって、ラウドスピーカ１１は、高い周波数の音まで再生できる。
【００５４】
第３経路５４において、ＬＥＤ１６Ａから出力された光は、点５４Ａと点５４Ｂの２箇所で反射して、目５１へ到達している。点５４Ａは、振動板１４の前面において、ＬＥＤ１６Ａから振動板１４の中心よりも近い側の面上に形成される。点５４Ｂは、振動板１４において、ＬＥＤ１６Ａから振動板１４の中心よりも遠い側の面上に形成される。すなわち、ＬＥＤ１６Ａから出力された光は、振動板１４の中心より手前で反射し、さらに、振動板１４の中心より奥でもう一度反射している。そしてこの反射光によって、振動板１４の中心に対して、ＬＥＤ１６Ａとは反対側の領域に、第３模様３１Ｄ、第３模様３１Ｅが形成される。
【００５５】
振動板１４を前面から見た場合、第３模様３１Ｄ、第３模様３１Ｅも、ＬＥＤ１６Ａと振動板１４の中心を結んだ線に対して、左右対称となるように形成される。なお、第３模様３１Ｄは左側の目５１で見ることができる。一方、第３模様３１Ｅは右側の目５１で見ることができる。したがって、両方の目５１で見た場合、第３模様３１Ｄと、第３模様３１Ｅの視差によって、模様３１は立体的な像として見える。
【００５６】
ただし、第３模様３１Ｄと第３模様３１Ｅは、２回反射しているので、第１模様３１Ａ、第２模様３１Ｂ、第２模様３１Ｃに比べて暗い。また、第３模様３１Ｄと第３模様３１Ｅの長さは、第１模様３１Ａ、第２模様３１Ｂ、第２模様３１Ｃに比べて短く、細い。さらに、第３模様３１Ｄと第３模様３１Ｅの外周端は、中心に比べて暗い。なお、第３模様３１Ｄと第３模様３１Ｅは、振動板１４の中心の近くに形成される。したがって、第３模様３１Ｄと第３模様３１Ｅの外周端と、内周端との太さはほとんど変わらない。
【００５７】
以上のように、第１模様３１Ａを除いた模様３１外周端は、中心に比べて暗い。すなわち、第２模様３１Ｂ、第２模様３１Ｃ、第３模様３１Ｄ、第３模様３１Ｅの輝度は、模様３１の中心から外に向かって、徐々に暗くなっている。
【００５８】
聴取者にとって、模様３１の明るい部分や、太い部分は、近くに見える。一方、聴取者にとって、模様３１の暗い部分や、細い部分は、遠くに見える。以上の構成により、振動板１４において場所によって、模様の３１の濃淡や太さを異ならせているので、模様３１は、より立体的に見える。
【００５９】
なお、光の像は、振動板１４の表面で反射した光によって形成されるので、振動板１４の表面形状に沿った形状である。一般的に、振動板１４の表面形状は、湾曲している。したがって、光の像を振動板１４の真正面からずれて見た場合、光の像は湾曲している。したがって、ラウドスピーカ１１は、非常に複雑な形状の装飾をすることができる。
【００６０】
ＬＥＤ１６Ａの光は、複数の経路を通って目５１へ到達しているので、１個のＬＥＤ１６Ａだけでも、振動板１４上に非常に複雑な形状の模様３１を形成できる。そこで、さらに複数個のＬＥＤ１６を配置し、それらを発光させれば、図３に示すような、複雑な幾何学的な光の模様３１を振動板１４上に形成できる。たとえば、ｎ個のＬＥＤを発光させることにより、振動板１４上に、第１模様３１Ａ、第２模様３１Ｂ、第２模様３１Ｃ、第３模様３１Ｄ、第３模様３１Ｅをそれぞれｎ個形成できる。
【００６１】
なお、ｎ個を超えるｍ個のＬＥＤ１６を配置した場合、ｍ個のＬＥＤ１６のうちのｎ個のＬＥＤ１６を発光させてもかまわない。そして、ｍ個のＬＥＤ１６の中から、適宜、ｎ個のＬＥＤ１６を選択して発光させることにより、振動板１４上に多様な模様３１を形成させることも可能となる。また、複数色のＬＥＤ１６を配置して、適宜、発光させることにより、振動板１４上に多様かつ多色の模様３１を形成させることも可能である。さらに、ＬＥＤ１６の発光を音楽と連動させてもかまわない。この構成により、振動板１４上に、音楽と連動した模様３１を形成させることができる。
【００６２】
図１６は、本実施の形態における電子機器６１の概念図である。電子機器６１は、筐体６２と、信号処理部６３と、ラウドスピーカ１１を含んでいる。信号処理部６３とラウドスピーカ１１は、筐体６２内に収納されている。信号処理部６３は、ラウドスピーカ１１へ電気的に接続されている。なお、信号処理部６３は、図１に示すボイスコイル１５とＬＥＤ１６に対して信号を供給している。以上の構成により、ラウドスピーカ１１から出力される音楽などを聴いている聴取者は、音だけでなく、視覚でも音楽を楽しめる。
【００６３】
信号処理部６３は、図１に示すＬＥＤ１６に対し、ボイスコイル１５に供給する信号と連動した信号を供給することが好ましい。この構成により、音と連動して図３に示す模様３１が変化する。また、信号処理部６３は、図１に示すボイスコイル１５への信号の供給を停止できることが好ましい。ただし、この場合、信号処理部６３は、図１に示すＬＥＤ１６のみに信号を供給する。この構成により、聴取者が、イヤホンやヘッドホンなどで音楽を楽しむ場合でも、ラウドスピーカ１１を図３に示す模様３１によって装飾できる。
【００６４】
信号処理部６３は、音源の再生部や、増幅部を含んでもかまわない。また、電子機器６１は、たとえば液晶ディスプレィなどの表示部６４などを含んでもかまわない。このように表示部６４を有した電子機器６１は、表示部６４に音楽と連動した模様を表示できる。しかし、表示部６４を動作させた場合、消費電力が大きい。ところが、ラウドスピーカ１１は、数個のＬＥＤだけで複雑な模様３１を出現できるので、消費電力を少なくできる。
【００６５】
電子機器６１は、たとえばパソコンである。しかし電子機器６１は、これに限られず、たとえば、スマートホン、携帯電話、タブレット端末などの携帯機器や、ミニコンポーネントシステムなどの音響機器や、テレビなどの映像機器であってもかまわない。
【００６６】
以下、本実施の形態における移動体装置について、図１７を参照しながら説明する。図１７は、移動体装置７６の概念図である。移動体装置７６は、たとえば自動車である。しかし、移動体装置７６は、これに限定されず、オートバイ、バス、電車、船舶、航空機等であってもかまわない。
【００６７】
移動体装置７６は、本体部７４と、駆動部７５と、ラウドスピーカ１１とを含んでいる。駆動部７５とラウドスピーカ１１は、本体部７４に搭載されている。なお、本体部７４は、ボディやシャーシなどを含むことが好ましい。また、駆動部７５は、動力発生部７１と、動力伝達部７２、操舵部７３を含むことが好ましい。さらに、操舵部７３は、ハンドルを含む。なお、操舵部７３は、タイヤを含んでもかまわない。動力発生部７１は、たとえばモータやエンジンなどである。動力伝達部７２は、動力発生部７１で発生した動力をタイヤへ伝達している。
【００６８】
ラウドスピーカ１１は、たとえば、リアトレイに組み込むことができる。なお、ラウドスピーカ１１は、リアトレイに限られず、フロントパネル、ドア、天井、ピラー部、インパネ部、床等に設置してもかまわない。そして、ラウドスピーカ１１は、カーナビゲーションやカーオーディオの一部を構成できる。
【００６９】
この例の場合も、電子機器６１と同様に、移動体装置７６の消費電力を低減できるので、移動体装置７６の燃費を向上できる。したがって、移動体装置７６は、地球環境の保護に貢献できる。
【産業上の利用可能性】
【００７０】
本発明にかかるラウドスピーカは、美しい光による模様や像によるイルミネーションによって装飾できるという効果を有し、たとえば電子機器や移動体装置等に用いることができる。
【符号の説明】
【００７１】
１１    ラウドスピーカ
１２    フレーム
１３    磁気回路
１３Ａ    磁気ギャップ
１４    振動板
１４Ａ    基材層
１４Ｂ    反射材層
１４Ｃ    主材料
１４Ｄ    副材料
１４Ｅ    中心側
１４Ｆ    外周側
１５    ボイスコイル
１５Ａ    中心軸
１６，１６Ａ    発光ダイオード（ＬＥＤ）
１７    ダストキャップ
１８    ＬＥＤ固定部
１８Ａ    遮蔽部
１９    組立体
２１    凸部
２１Ａ    第１反射部
２１Ｂ    第２反射部
２２    凹部
３１    模様
３１Ａ    第１模様
３１Ｂ    第２模様
３１Ｃ    第２模様
３１Ｄ    第３模様
３１Ｅ    第３模様
４４    振動板
５１    目
５２    第１経路
５２Ａ    点
５３    第２経路
５３Ａ    点
５４    第３経路
５４Ａ    点
５４Ｂ    点
５５    経路
５６    経路
５７    経路
６１    電子機器
６２    筐体
６３    信号処理部
６４    表示部
７１    動力発生部
７２    動力伝達部
７３    操舵部
７４    本体部
７５    駆動部
７６    移動体装置
【図１】
2015045284.tif 000003
【図２】
2015045284.tif 000004
【図３】
2015045284.tif 000005
【図５】
2015045284.tif 000006
【図６】
2015045284.tif 000007
【図７】
2015045284.tif 000008
【図８】
2015045284.tif 000009
【図９】
2015045284.tif 000010
【図１０】
2015045284.tif 000011
【図１１】
2015045284.tif 000012
【図１２】
2015045284.tif 000013
【図１３】
2015045284.tif 000014
【図１４】
2015045284.tif 000015
【図１５】
2015045284.tif 000016
【図１６】
2015045284.tif 000017
【図１７】
2015045284.tif 000018
【図４】
2015045284.tif 000019
【手続補正書】
【提出日】平成28年1月12日(2016.1.12)
【手続補正１】
【補正対象書類名】明細書
【補正対象項目名】０００７
【補正方法】変更
【補正の内容】
【０００７】
【図１】図１は、本発明の実施の形態におけるラウドスピーカの断面図である。
【図２】図２は、本発明の実施の形態におけるラウドスピーカの前面図である。
【図３】図３は、本発明の実施の形態における発光状態でラウドスピーカに現れる光の模様の模式図である。
【図４】図４は、本発明の実施の形態における発光状態のラウドスピーカを前面から写真撮影した観察図である。
【図５】図５は、本発明の実施の形態における振動板の要部拡大断面図である。
【図６】図６は、本発明の実施の形態において反射材を含んだ振動板の要部拡大断面図である。
【図７】図７は、本発明の実施の形態において表面に凸部を形成した振動板の要部拡大断面図である。
【図８】図８は、本発明の実施の形態において凸部を離して配置した場合の振動板の要部拡大断面図である。
【図９】図９は、本発明の実施の形態において凸部の形状を直線によって構成した場合の振動板の要部拡大断面図である。
【図１０】図１０は、本発明の実施の形態において前面に凹部を形成した場合の振動板の要部拡大断面図である。
【図１１】図１１は、本発明の実施の形態において渦巻き状の凸部を形成した振動板の前面図である。
【図１２】図１２は、本発明の実施の形態において同心状の凸部を形成した振動板の前面図である。
【図１３】図１３は、本発明の実施の形態において振動板での光の反射を示す概念図である。
【図１４】図１４は、本発明の実施の形態における発光状態のラウドスピーカを前面から見た場合の概念図である。
【図１５】図１５は、本発明の実施の形態において振動板での光の反射を示す概念図である。
【図１６】図１６は、本発明の実施の形態における電子機器の概念図である。
【図１７】図１７は、本発明の実施の形態における移動体装置の概念図である。
【手続補正２】
【補正対象書類名】明細書
【補正対象項目名】０００９
【補正方法】変更
【補正の内容】
【０００９】
以下、本実施の形態におけるラウドスピーカについて、図面を参照しながら説明する。図１は、ラウドスピーカ１１の断面図である。図２は、ラウドスピーカ１１の前面図である。なお、図１は、図２に示す断面線１−１でラウドスピーカ１１を切断した状態を示している。
【手続補正３】
【補正対象書類名】明細書
【補正対象項目名】００２９
【補正方法】変更
【補正の内容】
【００２９】
なお、振動板１４の前面は、背面に比べて、明るい色であることが好ましい。すなわち、振動板１４の前面は、背面に比べて、反射率が大きいことが好ましい。この構成により、振動板１４の前面の光の反射率は、大きい。したがって、図３に示す光の模様３１や像は、より鮮やかに輝いて見える。なお、振動板１４の前面の色は、特に銀色が好ましい。この場合、ＬＥＤ１６は、出力する色の選択できる範囲を広くできる。ＬＥＤ１６は、たとえば白、緑、青、赤などいずれの色でもかまわない。また、振動板１４の前面の色は、白色でもかまわない。この場合、ＬＥＤ１６の色は、白色以外であることが好ましい。
【手続補正４】
【補正対象書類名】明細書
【補正対象項目名】００３３
【補正方法】変更
【補正の内容】
【００３３】
図６は、反射材を含んだ振動板１４の要部断面図である。振動板１４は、主材料１４Ｃ中に副材料１４Ｄを含む構成でも良い。主材料１４Ｃは樹脂である。主材料１４Ｃは、たとえばポリプロピレンである。この構成により、振動板１４は軽い。そして、副材料１４Ｄは、反射材である。この場合、副材料１４Ｄの反射率は、主材料１４Ｃに比べて高いことが好ましい。なお、副材料１４Ｄも、樹脂であることが好ましい。また、副材料１４Ｄは、たとえば粉体状の蛍光物質などを用いても良い。
【手続補正５】
【補正対象書類名】明細書
【補正対象項目名】００３９
【補正方法】変更
【補正の内容】
【００３９】
図１０は、前面に凹部２２を形成した場合の振動板１４の要部拡大断面図である。振動板１４は、前面に凹部２２を形成してもかまわない。この場合、凹部２２の底面が、第１反射部２１Ａとして機能している。一方、振動板１４の前面の表面が、第２反射部２１Ｂとして機能している。したがって、凹部２２は、互いに離して配置している。なお、振動板１４の前面の表面が第２反射部２１Ｂとして機能する構成に限られず、凹部２２に第１反射部２１Ａと第２反射部２１Ｂを形成しても良い。また、この場合、隣り合う凹部２２は、繋げて配置しても良い。
【手続補正６】
【補正対象書類名】明細書
【補正対象項目名】００４０
【補正方法】変更
【補正の内容】
【００４０】
図１１は、渦巻き状の凸部２１を形成した振動板１４の前面図である。凸部２１を前面から見た形状は、渦巻状である。すなわち、振動板１４の外周から中心へ向かって、中心から凸部２１までの距離が徐々に小さくなっている。この構成により、振動板１４を樹脂成形する場合に金型で容易に凸部２１を形成できる。なお、振動板１４に渦巻き状の凸部２１を形成したが、これに限られず、振動板１４に渦巻き状の凹部２２を形成してもかまわない。また、ダストキャップ１７にも渦巻状の凸部２１あるいは凹部２２を形成しても良い。
【手続補正７】
【補正対象書類名】明細書
【補正対象項目名】００４１
【補正方法】変更
【補正の内容】
【００４１】
図１２は、同心状の凸部２１を形成した振動板１４の前面図である。振動板１４の前面を一周するような、凸部２１を複数列並べて配置してもかまわない。なお、凸部２１は、振動板１４と同心であることが好ましい。また、振動板１４に同心状の凸部２１を形成したが、これに限られず、振動板１４に同心状の凹部２２を形成してもかまわない。さらに、ダストキャップ１７にも同心円状の凸部２１あるいは凹部２２を形成しても良い。
【手続補正８】
【補正対象書類名】明細書
【補正対象項目名】００４４
【補正方法】変更
【補正の内容】
【００４４】
ＬＥＤ１６Ａの出力する光は、たとえば経路５５、および経路５６を経由して目５１へ到達する。経路５５において、ＬＥＤ１６Ａの出力する光は、振動板１４の外周側１４Ｆに近い場所で反射している。一方、経路５６において、ＬＥＤ１６Ａの出力する光は、振動板１４の中心側１４Ｅに近い場所で反射している。しかし、ＬＥＤ１６Ａが出力し、経路５６よりもＬＥＤ１６の光の中心と目５１を結ぶ線から離れた位置を通る光は、たとえば、経路５７を経由する。経路５７において、ＬＥＤ１６Ａの出力する光は、振動板１４の中心側１４Ｅに近い場所で反射している。その結果、経路５７を通る光は、目５１に到達しない。
【手続補正９】
【補正対象書類名】明細書
【補正対象項目名】００４７
【補正方法】変更
【補正の内容】
【００４７】
第１経路５２において、ＬＥＤ１６Ａから出力された光は、点５２Ａで反射している。点５２Ａは、振動板１４において、ＬＥＤ１６Ａに近い面上に位置する。すなわち、点５２Ａは、振動板１４の中心より手前の位置に配置される。
【手続補正１０】
【補正対象書類名】明細書
【補正対象項目名】００４８
【補正方法】変更
【補正の内容】
【００４８】
そしてこの反射光によって、振動板１４の中心よりＬＥＤ１６Ａに近い領域に、図１４に示す第１模様３１Ａが形成できる。このように、第１模様３１Ａは、振動板１４の中心よりもＬＥＤ１６Ａの近くに位置しているので、第２模様３１Ｂ、第２模様３１Ｃ、第３模様３１Ｄ、第３模様３１Ｅに比べて、長く、かつ明るい。また第１模様３１Ａは、第３模様３１Ｄ、第３模様３１Ｅよりも太い。ただし、第１模様３１Ａの外周部は、中心部よりも明るい。また、第１模様３１Ａの外周部は、中心部よりも太い。なお、ラウドスピーカ１１の前面から振動板１４を見た場合に、第１模様３１ＡとＬＥＤ１６Ａとは、一直線上に並んで形成されている。
【手続補正１１】
【補正対象書類名】明細書
【補正対象項目名】００４９
【補正方法】変更
【補正の内容】
【００４９】
次に、第２経路５３において、ＬＥＤ１６Ａから出力された光は、点５３Ａで反射している。点５３Ａは、振動板１４において、ＬＥＤ１６Ａから振動板１４の中心よりも遠い側の面上に位置している。
【手続補正１２】
【補正対象書類名】明細書
【補正対象項目名】００５３
【補正方法】変更
【補正の内容】
【００５３】
振動板１４は、図１５に示すように前面側に突出するように湾曲していることが好ましい。この構成により、振動板１４の中心付近で、振動板１４自身が第１経路５２を通る光を遮るので、第２模様３１Ｂ、第２模様３１Ｃの先端のうちで、振動板１４の中心に近い内側端は、第１模様３１Ａの内側端よりも中心側に位置する。したがって、振動板１４上には、非常に複雑な形状の模様３１が形成される。さらに、振動板１４と、図１に示すボイスコイル１５とが交わる角度を大きくできる。したがって、ラウドスピーカ１１は、高い周波数の音まで再生できる。
【手続補正１３】
【補正対象書類名】明細書
【補正対象項目名】００５４
【補正方法】変更
【補正の内容】
【００５４】
第３経路５４において、ＬＥＤ１６Ａから出力された光は、点５４Ａと点５４Ｂの２箇所で反射して、目５１へ到達している。点５４Ａは、振動板１４の前面において、ＬＥＤ１６Ａから振動板１４の中心よりも近い側の面上に位置している。点５４Ｂは、振動板１４において、ＬＥＤ１６Ａから振動板１４の中心よりも遠い側の面上に位置している。すなわち、ＬＥＤ１６Ａから出力された光は、振動板１４の中心より手前で反射し、さらに、振動板１４の中心より奥でもう一度反射している。そしてこの反射光によって、振動板１４の中心に対して、ＬＥＤ１６Ａとは反対側の領域に、第３模様３１Ｄ、第３模様３１Ｅが形成される。
【手続補正１４】
【補正対象書類名】明細書
【補正対象項目名】００５６
【補正方法】変更
【補正の内容】
【００５６】
ただし、第３模様３１Ｄと第３模様３１Ｅは、２回反射した光で形成されているので、第１模様３１Ａ、第２模様３１Ｂ、第２模様３１Ｃに比べて暗い。また、第３模様３１Ｄと第３模様３１Ｅは、第１模様３１Ａ、第２模様３１Ｂ、第２模様３１Ｃに比べて短く、細い。さらに、第３模様３１Ｄと第３模様３１Ｅの外周端は、中心に比べて暗い。なお、第３模様３１Ｄと第３模様３１Ｅは、振動板１４の中心の近くに形成される。したがって、第３模様３１Ｄと第３模様３１Ｅの外周端と、内周端との太さはほとんど変わらない。
【手続補正１５】
【補正対象書類名】明細書
【補正対象項目名】００５７
【補正方法】変更
【補正の内容】
【００５７】
以上のように、第１模様３１Ａを除いた模様３１の外周端は、中心に比べて暗い。すなわち、第２模様３１Ｂ、第２模様３１Ｃ、第３模様３１Ｄ、第３模様３１Ｅの輝度は、模様３１の中心から外に向かって、徐々に暗くなっている。
【手続補正１６】
【補正対象書類名】特許請求の範囲
【補正対象項目名】全文
【補正方法】変更
【補正の内容】
【特許請求の範囲】
【請求項１】
上部と、前記上部の反対の下部を有したフレームと、
前記フレームの前記下部に結合され、磁気ギャップを含む磁気回路と、
前面と、前記前面の反対の背面を有し、前記背面が前記フレームの外周部に連結されたコーン型の振動板と、
第１端部と第２端部を有し、前記第１端部が前記振動板に結合され、かつ前記第２端部が前記磁気ギャップへ挿入されたボイスコイルと、
前記フレームの前記上部に設けられ、前記振動板の中心に向かって光を出力し、前記振動板が前記光を反射するように配置された発光ダイオードと、を備えた、
ラウドスピーカ。
【請求項２】
前記振動板の前記前面は、凹部を有する、
請求項１に記載のラウドスピーカ。
【請求項３】
前記振動板の前記前面は、凸部を有する、
請求項１に記載のラウドスピーカ。
【請求項４】
前記凸部の断面形状は、円弧である、
請求項３に記載のラウドスピーカ。
【請求項５】
前記凸部は、
前記振動板の前記前面に対して、第１の角度だけ傾いて配置された第１の反射部と、
前記振動板の前記前面に対して、前記第１の角度とは異なる第２の角度で配置された第２の反射部と、を有する、
請求項３に記載のラウドスピーカ。
【請求項６】
前記凸部の高さは、０．０１ｍｍ以上、０．０７ｍｍ以下である、
請求項３に記載のラウドスピーカ。
【請求項７】
前記凸部は、前記振動板と同心であり、かつ前記振動板の前記前面を一周するように配置された、
請求項３に記載のラウドスピーカ。
【請求項８】
前記凸部は、複数の凸部のひとつであり、前記複数の凸部は同心状に配置された、
請求項７に記載のラウドスピーカ。
【請求項９】
前記凸部は、前記振動板の外周から前記振動板の中心へ向かって渦巻状に形成された、
請求項３に記載のラウドスピーカ。
【請求項１０】
前記発光ダイオードは、複数の発光ダイオードのうちのひとつであり、
前記複数の発光ダイオードは、等間隔に互いに離れて配置された、
請求項１に記載のラウドスピーカ。
【請求項１１】
前記振動板の前記前面は、前記背面よりも反射率の高い色である、
請求項１に記載のラウドスピーカ。
【請求項１２】
前記振動板は、主樹脂材料と、前記主樹脂材料に含まれ、かつ前記主樹脂材料に比べて反射率の高い副樹脂材料と、を含む、
請求項１に記載のラウドスピーカ。
【請求項１３】
前記振動板の中央に設けられ、前記振動板から前記磁気回路に向かって突出したダストキャップを、さらに備えた、
請求項１に記載のラウドスピーカ。
【請求項１４】
第１面と、前記第１面の反対に前記第１面よりも反射率の高い色の第２面を有し、前記振動板の中央に設けられ、かつ前記第１面が前記磁気回路と向かい合って配置されたダストキャップを、さらに備えた、
請求項１に記載のラウドスピーカ。
【請求項１５】
前記振動板の中央に設けられ、主樹脂材料と、前記主樹脂材料に比べて反射率の高い副樹脂材料を含むダストキャップを、さらに備えた、
請求項１に記載のラウドスピーカ。
【請求項１６】
筐体と、
前記筐体内に収納された増幅部と、
前記増幅部に電気的に接続され、かつ前記筐体内に収納された請求項１に記載のラウドスピーカと、を備えた、
電子機器。
【請求項１７】
本体部と、
前記本体部に搭載された駆動部と、
前記本体部に搭載された請求項１に記載のラウドスピーカと、を備えた、
移動体装置。
【国際調査報告】
2015045284.tif 000020
2015045284.tif 000021
2015045284.tif 000022
2015045284.tif 000023
2015045284.tif 000024